(57)【特許請求の範囲】
【請求項１】
少なくとも、底面部と、該底面部から起立する起立面部と、該起立面部の上端側に形成される上面部とを有すると共に、前記底面部及び前記起立面部によって物入れ収納空間の少なくとも一部を形成する基台と、
前記基台の前記上面部近傍に装着される支持体と、
前記支持体に、第１位置と第２位置とを採り得るように回転可能に支持され、前記第１位置の時には前記基台の前記上面部上に重なって板面が略水平状態の姿勢を採り前記第２位置の時には前記基台の前記底面部の上方に位置して前記基台の前記起立面部と協働して容器保持孔を形成する略板状のア−ム体と、
が備えられている、
ことを特徴とする容器保持装置。
【請求項２】
請求項１において、
前記ア−ム体が、第１位置の時に前記基台の上縁部にほぼ重なるように前記支持体に支持されている、
ことを特徴とする容器保持装置。
【請求項３】
請求項１において、
前記ア−ム体が前記支持体を基準にして該支持体の両側に延ばされ、
前記ア−ム体が、第２位置の時に、前記基台の前記起立面部と協働して、少なくとも２つの容器保持孔を形成するように設定されている、
ことを特徴とする容器保持装置。
【請求項４】
請求項１において、
前記ア−ム体を第２位置方向に付勢する付勢手段と、
前記ア−ム体を、第１位置状態において保持・解除可能に保持する保持手段と、
が備えられている、
ことを特徴とする容器保持装置。
【請求項５】
請求項１において、
前記基台の前記底面部及び前記起立面部が、車両のコンソ−ルボックスの一部構成壁として用いられる、
ことを特徴とする容器保持装置。
【請求項６】
請求項３において、
前記基台の前記起立面部に、前記支持体を基準にして該支持体の両側において容器を受け入れる円弧面がそれぞれ形成されている、
ことを特徴とする容器保持装置。
【請求項７】
少なくとも、底面部と、該底面部から起立する起立面部と、該起立面部の上端側に形成される上面部とを有すると共に、前記底面部及び前記起立面部によって物入れ収納空間の少なくとも一部を形成する基台と、
前記基台の前記上面部近傍に装着される支持体と、
前記支持体に第１位置と第２位置とを採り得るように回転可能に支持され、前記第１位置の時には前記基台の前記上面部に載置され前記第２位置の時には前記基台の前記底面部の上方に位置して前記基台の前記起立面部と協働して容器保持孔を形成するア−ム体と、
前記ア−ム体を第２位置方向に付勢する付勢手段と、
前記ア−ム体を、第１位置状態において保持・解除可能に保持する保持手段と、
が備えられ、
前記支持体に、一対の支持壁部が立設され、
前記ア−ム体の支持部が支持軸を介して前記一対の支持壁部に回転可能に支持され、
前記ア−ム体の支持部と前記支持壁部との間に、軟質材が、該ア−ム体の支持部又は該支持壁部の少なくとも一方と前記支持軸の外周との間で圧接状態を維持しつつ密に介挿されている、
ことを特徴とする容器保持装置。
【請求項８】
請求項４において、
前記保持手段は、前記ア−ム体の回転先端部を保持するように設定されている、
ことを特徴とする容器保持装置。
【請求項９】
請求項４において、
前記保持手段と前記支持体とが一体成形されている、
ことを特徴とする容器保持装置。
【請求項１０】
少なくとも底面部と該底面部から起立する起立面部と該起立面部の上端側に形成される上面部とを有すると共に前記底面部及び前記起立面部によって物入れ収納空間の少なくとも一部を形成する基台と、前記基台の前記上面部近傍に装着される支持体と、前記支持体に正転姿勢と反転姿勢とを採り得るように回転可能に支持され、正転姿勢時には前記基台の前記上面部上に重なって板面が略水平状態の姿勢を採り反転姿勢時には前記基台の前記底面部の上方に位置して前記基台の前記起立面部と協働して容器保持孔を形成する略板状のア−ム体と、前記ア−ム体を反転方向に付勢する付勢手段と、前記ア−ム体を、正転姿勢状態において保持・解除可能に保持する保持手段と、が備えられ、
前記アーム体の回転軸よりもシフトレバー寄りに前記保持手段がある、
ことを特徴とする容器保持装置。
【請求項１１】
請求項１において、
前記基台は、車両のセンタコンソールに設置されたシフトレバーよりも車両前方側に形成されていると共に、
前記第１位置におけるアーム体は、前記第２位置におけるアーム体よりも車両後方側に位置するように構成されている、
ことを特徴とする容器保持装置。
【発明の詳細な説明】
【０００１】
【発明の属する技術分野】
本発明は、容器を保持する容器保持装置に関するものである。
【０００２】
【従来の技術】
容器保持装置には、実開平２−１３６７２５号公報に示すように、容器ホルダ機能だけでなく、物入れとしての機能をも持たせるべく、折り畳み可能で且つ容器保持孔を有する仕切り板を用意し、その仕切り板を凹所内に配設したものがある。このものにおいては、容器ホルダとして使用するときには、仕切り板をほぼ直角に折り曲げて、一方の部分を凹所内底壁に立設する一方、容器保持孔を設けた他方の部分を凹所開口縁に沿って保持せしめ、物入れとして使用するときには、仕切り板を折り畳み状態で凹所内底壁に立設して、物入れ空間を拡張することとされている。
【０００３】
【発明が解決しようとする課題】
しかし、上記容器保持装置においては、容器ホルダと物入れの使い分けは、仕切り板を、両手を使用した手作業により折り曲げたり折り畳んだりしなければならず、容器ホルダとしての使用と物入れとしての使用との間の移行作業は煩わしいと言わざるを得なかった。
【０００４】
本発明は以上のような事情を勘案してなされたもので、その目的は、容器ホルダとしての使用と物入れとしての使用との間の移行作業を極めて容易にできるようにすることにある。
【０００５】
【課題を解決するための手段】
上記目的を達成するために本発明（請求項１に係る発明）にあっては、
少なくとも、底面部と、該底面部から起立する起立面部と、該起立面部の上端側に形成される上面部とを有すると共に、前記底面部及び前記起立面部によって物入れ収納空間の少なくとも一部を形成する基台と、
前記基台の前記上面部近傍に装着される支持体と、
前記支持体に、第１位置と第２位置とを採り得るように回転可能に支持され、前記第１位置の時には前記基台の前記上面部上に重なって板面が略水平状態の姿勢を採り前記第２位置の時には前記基台の前記底面部の上方に位置して前記基台の前記起立面部と協働して容器保持孔を形成する略板状のア−ム体と、
が備えられている、
ことを特徴とする容器保持装置とした構成としてある。この請求項１の発明の好ましい態様としては、請求項２〜６、８、９、１１の記載の通りとなる。
【０００６】
また、上記目的を達成するために本発明（請求項７に係る発明）にあっては、
少なくとも、底面部と、該底面部から起立する起立面部と、該起立面部の上端側に形成される上面部とを有すると共に、前記底面部及び前記起立面部によって物入れ収納空間の少なくとも一部を形成する基台と、
前記基台の前記上面部近傍に装着される支持体と、
前記支持体に第１位置と第２位置とを採り得るように回転可能に支持され、前記第１位置の時には前記基台の前記上面部に載置され前記第２位置の時には前記基台の前記底面部の上方に位置して前記基台の前記起立面部と協働して容器保持孔を形成するア−ム体と、
前記ア−ム体を第２位置方向に付勢する付勢手段と、
前記ア−ム体を、第１位置状態において保持・解除可能に保持する保持手段と、
が備えられ、
前記支持体に、一対の支持壁部が立設され、
前記ア−ム体の支持部が支持軸を介して前記一対の支持壁部に回転可能に支持され、
前記ア−ム体の支持部と前記支持壁部との間に、軟質材が、該ア−ム体の支持部又は該支持壁部の少なくとも一方と前記支持軸の外周との間で圧接状態を維持しつつ密に介挿されている、
ことを特徴とする容器保持装置とした構成としてある。
【０００７】
さらに、上記目的を達成するために本発明（請求項１０に係る発明）にあっては、
少なくとも底面部と該底面部から起立する起立面部と該起立面部の上端側に形成される上面部とを有すると共に前記底面部及び前記起立面部によって物入れ収納空間の少なくとも一部を形成する基台と、前記基台の前記上面部近傍に装着される支持体と、前記支持体に正転姿勢と反転姿勢とを採り得るように回転可能に支持され、正転姿勢時には前記基台の前記上面部上に重なって板面が略水平状態の姿勢を採り反転姿勢時には前記基台の前記底面部の上方に位置して前記基台の前記起立面部と協働して容器保持孔を形成する略板状のア−ム体と、前記ア−ム体を反転方向に付勢する付勢手段と、前記ア−ム体を、正転姿勢状態において保持・解除可能に保持する保持手段と、が備えられ、
前記アーム体の回転軸よりもシフトレバー寄りに前記保持手段がある、
ことを特徴とする容器保持装置とした構成としてある。
【０００８】
【発明の効果】
請求項１に記載された発明によれば、基台上面部の支持体に対してア−ム体を第１位置と第２位置とを採り得るように回転可能に支持して、第１位置の時にはア−ム体を基台上面部に載置されようにし第２位置の時にはア−ム体を基台底面部の上方に変位させて基台起立面部と協働して容器保持孔を形成するようにすることから、本をめくるように１本の手の指だけで極めて簡単に、ア−ム体を支持体を中心として回転させることができ、これにより、第２位置の時には、アーム体と基台起立面部とにより容器ホルダとして機能させることができ、第１位置の時には、基台起立面部の対向空間を物入れ収納空間として利用できることになる。このため、容器ホルダとしての使用と物入れとしての使用との間の移行作業を極めて容易に行うことができることになる。
【０００９】
請求項２に記載された発明によれば、ア−ム体が、第１位置の時に基台の上縁部にほぼ重なるように支持体に支持されていることから、そのアーム体の第１位置の時には、アーム体が基台の上縁部から該基台の起立面部の対向空間に出っ張ることを防いで、物入れ収納空間の上方側における出入り口が狭まることを防止できることになる。
しかも、第１位置の時のアーム体により、基台起立面部に上方側において連続する壁面を構成することができ、物入れ収納空間の深さを深く（容量を大きく）することができると共に、見映えを向上させることができることになる。
【００１０】
請求項３に記載された発明によれば、ア−ム体が支持体を基準にして該支持体の両側に延ばされ、ア−ム体が、第２位置の時に、基台の起立面部と協働して、少なくとも２つの容器保持孔を形成するように設定されていることから、少なくとも２つの容器を保持できるばかりか、ア−ム体の回転位置をア−ム体の長手方向略中央に位置させて、ア−ム体の回転を安定したものとすることができることになる。
【００１１】
請求項４に記載された発明によれば、ア−ム体を第２位置方向に付勢する付勢手段と、ア−ム体を、第１位置状態において保持・解除可能に保持する保持手段とが備えられていることから、保持手段により、ア−ム体を第１位置状態で保持して基台起立面部の対向空間を物入れ収納空間として的確に利用できる一方、その保持手段に対して解除操作を行えば、アーム体は、付勢手段の付勢力に基づき自動的に第２位置を採ることになる。このため、片手に容器を持っているとき等においても、もう一方の片手により極めて簡単かつ迅速に、容器ホルダとして機能する状態にすることができることになる。
【００１２】
請求項５に記載された発明によれば、基台の底面部及び起立面部が、車両のコンソ−ルボックスの一部構成壁として用いられることから、コンソ−ルボックスに適合させて、コンソ−ルボックスの収納空間を物入れ収納空間として利用しつつ、容器ホルダとして機能させることができることになり、車両においても、前述の請求項１同様、容器ホルダとしての使用と小物入れとしての使用との間の移行作業を極めて容易に行うことができることになる。
【００１３】
請求項６に記載された発明によれば、基台の起立面部に、支持体を基準にして該支持体の両側において容器を受け入れる円弧面がそれぞれ形成されていることから、その円弧面により容器を的確に受け入れて、ア−ム体の反転姿勢時において、容器をしっかりと保持できることになる。
【００１４】
請求項７に記載された発明によれば、支持体に、一対の支持壁部が立設され、ア−ム体の支持部が支持軸を介して一対の支持壁部に回転可能に支持され、ア−ム体の支持部と支持壁部との間に、軟質材が、該ア−ム体の支持部又は該支持壁部の少なくとも一方と前記支持軸の外周との間で圧接状態を維持しつつ密に介挿されていることから、軟質材と当接する各回動部分において摩擦力を発生させることができ、アームが付勢手段の付勢力に基づき反転するとしても、ゆるやかに反転させることができることになる。このため、当該本装置に関し、極めて小さくしかも少ない部品だけをもってして、高級感を打ち出すことができることになる。
【００１５】
請求項８に記載された発明によれば、保持手段がア−ム体の回転先端部を保持するように設定されていることから、ア−ム体の回転中心から最も離れた位置（モ−メント腕の最も長くなる位置）を保持手段が保持することから、付勢手段の付勢力に対して最も少ない保持力で保持できることになる。このため、保持手段によるア−ム体の保持を信頼性の高いものとすることができることになる。
【００１６】
請求項９に記載された発明によれば、保持手段と支持体とが一体成形されていることから、部品管理の向上が図れるばかりか、比較的小さなものとなる保持手段と支持体との組み付けをなくして、作業の省力化を図ると共に、取付位置の位置ずれというようなことをなくし確実な保持機構（ロック機構）を提供できることになる。
【００１７】
請求項１０に記載された発明によれば、アーム体の回転軸よりもシフトレバー寄りに保持手段があることから、車両において、前述の請求項１、４等と同様の作用効果を得ることができるばかりか、保持手段を、最も操作し易いシフトレバ−寄りに配置して使い勝手を向上させることができることになる。
その一方、ア−ム体が、反転姿勢時において、シフトレバ−から遠のくように反転することから、当該容器保持装置に保持された容器とシフトレバ−との干渉を防止できることになる。
【００１８】
【発明の実施の形態】
以下、本発明の実施形態について図面に基づいて説明する。
図１において、１はセンタコンソ−ルで、このセンタコンソ−ル１には、シフトレバ−２の前方側において、収納穴１ａが形成されている。この収納穴１ａは、センタコンソ−ル１の幅にほぼ合わせて車体前方に向けて延ばされている。
【００１９】
前記収納穴１ａ内には、図１に示すように、容器保持装置としてのカップホルダ装置３が収納されている。このカップホルダ装置３は、基台を構成する収納箱４と、ア−ム装置５とを備えている。
【００２０】
上記収納箱４は、前記収納穴１ａの車体後方側において嵌め込まれており、この収納箱４は、収納穴１ａの底面に敷設される底壁部４ａ（底面部）と、その底壁部４ａから収納穴１ａの側面（車幅方向側面）に沿いつつセンタコンソ−ル１の上面にまで起立する一対の側壁部４ｂと、一対の側壁部４ｂを連結する後壁部４ｃ（起立面部）と、を備えている。このため、この収納箱４は、前壁部を有しておらず、この収納箱４内には車体前方側から入り込むことができることになっている。
【００２１】
この収納箱４においては、後壁部４ｃが、側壁部４ｂ（センタコンソ−ル１）の上端よりもやや低い高さまで起立されており、この後壁部４ｃ内面には、カップ等の容器の半分をそれぞれ受け止めることができる一対の円弧面４ｄが形成されている。この後壁部４ｃの上端面（上面部）には、一対の円弧面４ｄの間において２つの取付孔６（図３参照）が形成されており、その２つの取付孔６は、車体前後方向に並設されている。
【００２２】
上記ア−ム装置５は、図１〜図５に示すように、支持体７と、ア−ム体８とを備えている。
【００２３】
支持体７は、前記後壁部４ｃ上端面に前記一対の円弧面４ｄの間において装着されている。この支持体７は、長方形状の板部９を有し、その板部９の裏面には、図３に示すように、一対の脚部１０が設けられており、その一対の脚部１０を前記取付孔６に嵌め込むことにより、その各脚部１０が備える拡縮爪１１をもって、板部９を車体前後方向に向けつつ各取付孔６に係合保持できることになっている。
上記板部９の前端部（図３中、左端部）には、一対の支持壁部１２が設けられている。この一対の支持壁部１２は、板部９の前端部の幅方向両側から起立されており、その壁面は、一定の間隔をあけて対向されている。この一対の支持壁部１２には、その上端部において保持孔１３がそれぞれ形成されており、この両保持孔１３も互いに対向されている。
【００２４】
上記板部９の後端部には、保持手段としての操作片１４が連結板部１５を介して一体的に設けられている。連結板部１５は板部９の後端から連続的に上方に延び、操作片１４は連結板部１５の自由端部に一体的に設けられている。これにより、操作片１４に外力を付与、解除することにより、操作片１４は、図３の矢印に示すように、連結板部１５の基端部を中心として揺動できることになっている。この操作片１４には、その前端面において係止爪１６が設けられており、この係止爪１６は、通常は、係止位置を採る一方、操作片１４に対して押圧操作を行ったときには係止解除位置を採るようになっている。
【００２５】
前記ア−ム体８は、上記支持体７の一対の支持壁部１２に正・反転（正転方向は図３中、時計方向、反転方向は図３中、反時計方向）可能に支持されている。ア−ム体８は、略板状をもって延ばされた形状とされており、その長手方向（図４中、左右方向）中央部においては、その板幅（幅方向は図４中、上下方向）が他の部分に比して長くされて突出状態の支持部１７が形成され、その支持部１７を中心として両側においては該支持部１７からア−ム部１８が長手方向外方に向かってそれぞれ延ばされている。支持部１７は、一対の支持壁部１２に回動軸心を水平方向に延ばした状態で回動可能に支持されており、各ア−ム部１８の先端部は、前記収納箱４側壁部４ｂの上端面上に位置され、その各ア−ム部１８の先端部は収納箱４の側壁部４ｂから外方に突出しないようになっている。このため、ア−ム体８の正・反転時には、各ア−ム部１８の先端部が収納箱４の側壁部４ｂから外方に突出しない状態で該収納箱４の側壁部４ｂ上端面に当接して、ア−ム体８の板面が略水平状態の姿勢をそれぞれ採ることになっている（反転姿勢（第２位置）は図１の状態であり、正転姿勢（第１位置）は反転姿勢を逆方向に倒した状態で、アーム体８が収納箱後壁部４ｃの上縁部に重なる状態）。
【００２６】
また、各ア−ム部１８は、その一方側（支持部１７が突出する側）の肉厚面が一対の円弧面１８ａを形成しており、その一対の円弧面１８ａは、ア−ム体８の反転時（図１の状態時）に、前記収納箱後壁部４ｃの円弧面４ｄと協働して容器保持孔１９を構成し、そのア−ム部１８の円弧面１８ａと収納箱後壁部４ｃの円弧面４ｄとによりカップ等の容器の側面が保持できることになっている。
【００２７】
さらに、ア−ム体８には、その支持部１７とは幅方向反対側において切欠き２０が形成されている。この切欠き２０は、ア−ム体８の正転姿勢時に、前記操作片１４を収納できる大きさとされており、この切欠き２０内面には、若干突出した被係止部２１が設けられている。この被係止部２１は、ア−ム体８の正転時に、連結板部１５の付勢力に抗して操作片１４の係止爪１６が係止可能となっており、被係止部２１と係止爪１６とが係止状態のときには、ア−ム体８の正転姿勢が保持できることになっている（図４の仮想線を参照）。
【００２８】
前記アーム体８の支持部１７と前記一対の支持壁部１２との支持関係について、図２、図４〜図７に基づいて、より具体的に説明する。
アーム体８の支持部１７には、アーム体８の長手方向（図４中、左右方向）において貫通する貫通孔２２が形成されており、その貫通孔２２には支持軸２３が挿通されている。この支持軸２３は、その両外端部が一対の支持壁部１２の保持孔１３に嵌合保持されており、アーム体８の支持部１７は支持軸２３を介して一対の支持壁部１２に回動可能に支持されることになっている。
【００２９】
上記貫通孔２２は、その軸心方向の一方側が拡径されて軟質材収容穴２４とされ、その軸心方向の他方側が拡径されてばね収容穴２５とされており、軟質材収容穴２４の開口側には一対の支持壁部１２のうちの一方の支持壁部１２ａが臨み、ばね収容穴２５の開口側にはスペ−サ２６が配設されている。このスペ−サ２６の外面側にも軟質材収容穴２７が形成されており、その軟質材収容穴２７は一対の支持壁部１２のうちの他方の支持壁部１２ｂに臨むことになっている。そして、上記軟質材収容穴２４と２７とには、支持軸２３外周に密に嵌合された環状の軟質材２８がそれぞれ密に収容され、ばね収容穴２５にはコイルスプリング２９が支持軸２３外周に嵌挿された状態で収容されており（図４においては、軟質材２８とコイルスプリング２９は略してある）、そのコイルスプリング２９の軸心方向の付勢力によりアーム体８の支持部１７とスペ−サ２６とに互いに離間しようとする力を働かせ、これにより、アーム体８の支持部１７の軟質材２８を一方の支持壁部１２ａに圧接させ、スペ−サ２６における軟質材２８を他方の支持壁部１２ｂに圧接させることになっている。このため、軟質材２８と当接する各回動部分において摩擦力が発生することになっている。
尚、図４、図６において、符号１７ａは支持部に形成されるガイド孔、２６ａは、ガイド孔１７ａによりガイドされる突出部である。
【００３０】
また、上記コイルスプリング２９は、図７に示すように、その一端部が、アーム体８における支持部１７の貫通孔２２を拡張して形成した係止孔３０に係止され、そのコイルスプリング２９の他端部は、スペ−サ２６とアーム体８の支持部１７との間から下方に延出し、その延出端部が、支持体７上面に形成された係止孔３１に係止されることになっている。これにより、アーム体８は、支持軸２３を中心として反転方向に常時付勢されることになっており、その付勢力は、上記軟質材２８と当接する各回動部分における摩擦力の総和に打ち勝つものの、被係止部２１と係止爪１６との係止関係を解除するほどの大きさを有しないように設定されている。
【００３１】
このようなカップホルダ装置３においては、アーム体８の被係止部２１が操作片１４の係止部に係止されている正転姿勢状態（図４中、仮想線の状態）において、操作片１４を押すと、アーム体８の被係止部２１と操作片１４の係止爪１６との係止関係が解除され、アーム体８はコイルスプリング２９の付勢力により反転し、アーム部１８が収納箱４の側壁部４ｂ上端面に当接する共にアーム体８の支持部１７の一部が支持体７上面に当接して、アーム体８が反転姿勢状態となり、各アーム部１８（円弧面１８ａ）と収納箱後壁部４ｃ（円弧面４ｄ）とは容器保持孔１９を構成することになる。これにより、カップホルダ装置３は、カップホルダとして機能することになり、容器保持孔１９にカップ等の容器を入れ、その容器側周面をアーム部１８と収納箱後壁部４ｃとにより保持できることになる。
【００３２】
この場合、軟質材２８と当接する各回動部分において摩擦力が発生することになっていることから、アーム体８は、急激ではなく緩やかに反転することになる。
【００３３】
アーム体８が上記のように反転姿勢状態にある場合において、アーム体８をコイルスプリング２９の付勢力に抗して正転させて、操作片１４の係止爪１６にアーム体８の被係止部２１を係止させると、アーム体８の正転姿勢状態が保持されることになり、アーム体８は、収納箱後壁部４ｃの上縁部に重なることになり、センタコンソ−ル１の収納穴１ａの開口は拡大され、その収納穴１ａは、小物入れとして使い勝手よく使用できることになる。
【図面の簡単な説明】
【図１】実施形態に係るカップホルダ装置を示す斜視図。
【図２】実施形態に係るカップホルダ装置の取付け関係を説明する説明図。
【図３】実施形態に係るカップホルダ装置のアーム体が反転した状態を示す側面図。
【図４】実施形態に係るカップホルダ装置のアーム体が反転した状態を平面的に示す図。
【図５】実施形態に係るカップホルダ装置のアーム体が反転した状態を示す縦断面図。
【図６】アーム体における支持部と一対の支持壁部との支持関係を説明する横断面図。
【図７】アーム体における支持部と一対の支持壁部との支持関係を説明する縦断面図。
【符号の説明】
３  カップホルダ装置
４  収納箱
４ａ  底壁部
４ｃ  後壁部
４ｄ  円弧面
５  アーム装置
７  支持体
８  アーム体
１２  支持壁部
１４  操作片
１６  係止爪
１７  支持部
１８  アーム部
１８ａ  円弧面
１９  容器保持孔
２３  支持軸
２８  軟質材
２９  コイルスプリング
【図１】
0003665173.tif 000002
【図２】
0003665173.tif 000003
【図３】
0003665173.tif 000004
【図４】
0003665173.tif 000005
【図５】
0003665173.tif 000006
【図６】
0003665173.tif 000007
【図７】
0003665173.tif 000008